(57)【特許請求の範囲】
【請求項１】
特にＣＤのような適切な記録担体にディジタル的に情報を記録する方法であって、記録される情報を持つプログラム部を有する記録部が記録工程で形成され、前記プログラム部を記録する前に、所定の数のrun-inブロックが前記プログラム部の前に記録され、前記プログラム部の記録に続いて、所定の数のrun-outブロックが前記プログラム部の後に記録され、各記録工程の間、記録工程用に使用された記録装置を識別する識別コードが前記記録担体に記録される方法において、
前記識別コードが前記run-inブロック及びrun-outブロックの各々に記録されることを特徴とするディジタル的に情報を記録する方法。
【請求項２】
前記run-inブロック及びrun-outブロックの各々に同じ情報が書かれることを特徴とする請求項１に記載の方法。
【請求項３】
前記run-inブロックの所定の数は４であり、前記run-outブロックの所定の数は２であることを特徴とする請求項１又は２に記載の方法。
【請求項４】
例えばＣＤの様な記録担体であって、プログラム部と所定の数のrun-inブロックと所定の数のrun-outブロックとを有する少なくとも一つの記録部が設けられ、前記所定の数のrun-inブロックが前記プログラム部の前にあり、前記所定の数のrun-outブロックが前記プログラム部の後にあり、
前記run-inブロック及び前記run-outブロックの各々が各記録工程用に使用された記録装置を識別する識別コードを有することを特徴とする記録担体。
【請求項５】
前記run-inブロック及びrun-outブロックの各々に同じ情報が記録されることを特徴とする請求項４に記載の記録担体。
【請求項６】
前記run-inブロックの所定の数は４であり、前記run-outブロックの所定の数は２であることを特徴とする請求項４又は５に記載の記録担体。
【請求項７】
特にＣＤの様な適切な記録担体にディジタル的に情報を記録する記録装置において、
当該記録担体において記録される情報を示す物理的変化をもたらす記録部材と、
制御信号により前記記録部材を制御する制御部材と、
前記記録装置を識別するＲＩＤコードが格納されるメモリとを有し、
前記制御部材が、記録工程において、記録部のプログラム部の記録すべき情報を示す制御信号を生成し、
前記制御部材が、前記記録工程において前記プログラム部の記録すべき情報を示す前記制御信号の生成に先立ち、前記記録工程における所定の数のrun-inブロックを規定する制御信号を生成し、前記記録工程において前記プログラム部を示す制御信号に次いで、所定の数のrun-outブロックを規定する制御信号を生成し、
前記制御部材が前記run-inブロック及びrun-outブロックの各々を規定する前記制御信号に、各記録工程の間、前記メモリに格納された識別コードを混合させることを特徴とする、ディジタル的に情報を記録する記録装置。
【請求項８】
前記制御部材は前記所定の数のrun-inブロック及びrun-outブロックを規定する制御信号を生成し、これら生成された制御信号は同じ情報を持つことを特徴とする請求項７に記載の記録装置。
【請求項９】
前記run-inブロックの所定の数は４であり、前記run-outブロックの所定の数は２であることを特徴とする請求項７又は８に記載の記録装置。
【発明の詳細な説明】
技術分野
本発明は、特にコンパクトディスク（ＣＤ）である担体への情報の記録に関する。本発明において、情報は広い意味を持つものと理解されたい。すなわち、データファイルのみでなく、例えばオーディオもしくはビデオ情報等の種々の形式の情報である。
本発明は、ＣＤの記録において特に重要であるが、当業者は、本発明がＣＤに限定されないこと、また例えばディジタルビデオディスク（ＤＶＤ）の様な他の媒体への記録に同様に使用されても良いことを認識するであろう。しかしながら本発明は以下において、ＣＤの記録に適用する場合について特に明確にされるであろう。
背景技術
情報の記録は、２つの分類に大まかに分けられるであろう。一つは産業用記録、もう一つは民生用記録である。産業用記録は、例えば生産者が多数の担体に音楽の記録を実施し、そして通常の販路を介してこれら担体を市場提供する場合に関連するものである。最終的な使用者（消費者）は、店頭でこのようなＣＤを購入し、そして彼らの再生装置で再生する。民生用記録は、消費者自身で記録を行うことができる記録装置を操作する場合に関連するものである。民生用記録は、オーディオ業界では非常に重要な長い期間存在する現象である。この現象は、例えばラジオ、レコード等を音源に使用して消費者自身が決めた順番で所望の音楽を記録する状況を実現する。消費者は、記録媒体として磁気テープ（テープリールレコーダ又はカセットレコーダ）を使用しても良い。原則的に、記録は、著作権を侵害し得る。いくらかの品質劣化を常に生じるアナログ記録技術に基づく従来の記録システムによると、この記録は、個人的事柄に通常限定され、不適切な使用は小さな規模で実施されるであろう。
近年、例えば磁気テープもしくはＣＤにディジタル記録が可能な装置が、民生用使用に投入された。特に消費者には、記録媒体としてＣＤを使用することが比較的新規な手段として提案された。ディジタル記録技術が使用されると、これらのＣＤは、大規模な著作権侵害の形での乱用の無視しがたい危険が存在する高品質を持つ。更に、この技術は、コンピュータプログラムの複製の実現をもたらし、この分野においても、著作権侵害（違法複製）が望ましくない。
これらの理由のため、民生用市場に向けられるＣＤ記録装置は、ＣＤの記録を行う場合、対応記録装置を特定可能なユニークな機器特定コードが書込まれるように設計されている。もし不正記録が発見されると、記録が実施された装置を回収することが可能である。このコードは、ＲＩＤコード（Recorder Identification code）と称されている。
発明の開示
本発明は、ＲＩＤコードが記録される方法に関する。
以下に詳細に説明されるように、ＲＩＤコードは従来、実際の情報にインタリーブされてきた。これは、情報が、完全なＲＩＤコードを記録する場合、比較的長い時間中断することなく記録されねばならないという状況をもたらす、ということを意味する。これは、オーディオ記録の場合には問題とはならない。なぜならば、実際には最小で数秒、一般には数分のシーケンスが常に記録されるためである。しかしながら、比較的短い記録長の手段を持つことが必要とされるデータ記録の場合には問題となる。
本発明の重要な目的は、存在する方法と望ましくは互換性を持つ上述のような問題の解決策を提供することである。
当業者には既知であるように、ディジタル記録操作においてはエラー訂正方法の使用が必要である。この方法では、エラー書込もしくは読取ビットを修復できる。一般的に使用されるエラー訂正方法は、所定数の連続バイトが合わせて検討される。同様に記録の最初及び最後のビットが検査され、そして訂正を可能にするため、幾つかのrun-inブロックが実際の記録工程の前に記録され、そして幾つかのrun-outブロックが実際の記録工程に続いて記録される。既知のように、run-inブロックは、記録を読みとれる読取装置用の“捕捉”ブロックとして提供する。例えば、読取装置のクロックがこれらのブロックにより捕捉されると、例えば、デコーダは、読取装置の読取ヘッドが最初のデータブロックの始まりに至るときに正常な読取が直接実施されるように同期する。
run-in及びrun-outブロックは、読取装置による実際の記録を充分に読取ることを実現するために必要ではあるが、このようなrun-in及びrun-outブロックの情報内容は、この場合、機能を持たない。本発明は、このブロックが、個々の記録に応じて必要なこれまで使用されなかった格納空間の大きさを示し、そしてこれらのブロックが実際の記録及び／もしくは記録装置に応じた情報の記録に顕著に適するという認識に基づくものである。
本発明の重要な特徴によると、ＲＩＤコードが少なくとも一つのrun-in及び／もしくはrun-outブロックに記録される。
すべてのrun-in及びrun-outブロックは、同一の方法で望ましくは書込まれる。
本発明の上述及び他の特徴は、以下に実施例を基に明確に説明されるであろう。
【図面の簡単な説明】
第１図は、ＣＤ上に情報を記録する構成を示す図である。
第２図は、読取装置におけるデータ処理を示す図である。
第３図は、Ｑバイトの構成を示す図である。
第４図は、書込装置を示す図である。
発明を実施するための最良の形態
ＣＤへの情報記録は、実際にはすでに既知である。使用するフォーマットは、第１Ａ図乃至第１Ｄ図を参照して以下に明らかにされるであろう。
第１図は、ＣＤに情報を記録する構造を示す図である。この記録が物理的に実施される方法は本発明の主題ではなく、そしてこの記録方法の知識は、当業者にとって本発明を理解するために必要ではなく、それ自体知られたものであるから、この話題について更なる説明は必要ないであろう。
第１Ａ図において、ＣＤへの情報記録は、リニアトラック１０として示されている。当業者にとっては、実際のＣＤ記録が、円形もしくは螺旋パターンの形状を持つことが明らかである。トラック１０は、単一書込工程の間に記録されても良い。しかしながら代替として、第１Ａ図に示したように、このトラック１０は、複数の相互に独立した書込工程の間に記録されることも可能であり、このとき原理的には、異なる記録装置が各書込工程で活性化されることも可能である。単一工程の間に書込まれるトラック１０の一部は、以降、記録部１１と呼ばれる。
第１Ｂ図は、第１Ａ図に示されたトラック１０の一部を拡大した図で、実際には限定されない（もちろんＣＤの大きさには依存するが）長さを持つプログラム部２０を有する記録部１１を示している。第１Ｃ図は、第１Ｂ図に示されたプログラム部２０の一部を拡大した図で、連続するプログラムフレーム３０に分割されたプログラム部２０を示す。各プログラムフレーム３０は、実際の記録情報に対応する３２個の８ビット（３２バイト）と、サブコードバイトとして参照される特別な１個の８ビット（１バイト）４０を有する。この３２バイトの内、２４バイトは実際の情報記録に利用され、よって、情報バイトとして参照できる。一方、他の８バイトは、エラー訂正コード用に付加され、よって、訂正バイトとして参照できる。サブコードバイト４０は、付加情報の記録に使用され、この内容については、以下に説明する。
第１Ｄ図は、第１Ｃ図に示されたプログラムフレーム３０各々に対応するサブコード４０を示す図である。サブコード４０の８ビットは、第１Ｄ図に示されたように、記号Ｐ，Ｑ，Ｒ，Ｓ，Ｔ，Ｕ，Ｖ，Ｗで連続的に示されている。９８個の連続するサブコードバイト４０1乃至４０98は、９８個の連続するプログラムフレーム３０に対応し、合わせてサブコード情報の完全サイクルを示すサブコードフレーム５０を形成する。
第２図はＣＤ読取装置において実施されるＣＤ１からの情報読取りの様子を示す図である。読取り手段101は、連続するプログラムフレーム３０を示す信号102を信号選択手段103に供給する。ＣＤ読取り装置100は、音楽の再生のような実際に記録された情報を通常処理する第１信号処理チャネル110を有する。この信号選択手段103は、プログラムフレーム３０の３２個の情報バイトを第１信号処理チャネル110に供給する。
ＣＤ読取り装置100は、サブコードバイト４０のＰビットにより示される情報を処理するＰチャネルとして参照される第２信号処理チャネル120を持つ。ＣＤ読取り手段100は、サブコードバイト４０のＱビットにより示される情報を処理するＱチャネルとして参照される第３信号処理チャネル100を持つ。ＣＤ読取り手段100は、サブコード４０のR-Wの組み合わせにより示される情報を処理するR-Wチャネルとして参照される第４信号処理チャネル140を持つ。信号選択手段103は、プログラムフレーム３０からのＰビットをＰチャネル120に向け、プログラムフレーム３０からのＱビットをＱチャネル130に向け、そしてサブコードバイト４０からの残りのビットをR-Wチャネル１４０に向ける。
サブコードフレーム５０の９８個の連続するＰビットＰ1乃至Ｐ98は、Ｐフレームを規定する。サブコードフレーム５０の９８個の連続するＱビットＱ1乃至Ｑ98は、Ｑフレームを規定する。サブコードフレーム５０の588個のビットＲ1乃至Ｗ98は、R-Wフレームを規定する。この例は、Ｐフレームが、トラック間のＣＤ上の領域、ディスクのrun-in領域、及びディスクのrun-out領域等をマークする情報を有する。例えば、ディスクの内容テーブルは、ディスクのrun-in領域のＱフレームにより格納でき、一方、記録に対応するＱフレームがトラック番号及び演奏時間を有するであろう。R-Wチャネルは、テキスト及びグラフィックに向けられる。
第３図は、サブコードフレーム５０の連続する９８個のＱビットＱ1乃至Ｑ98により規定され参照番号６０で示されたＱフレームの内容を示す図である。各Ｑフレーム６０は、９個のフレーム部６１乃至６９を有する。第１フレーム部６１は、２つの同期ビットを有する。第２フレーム部６２は、記録情報がオーディオ情報なのかデータ情報なのかを示す４つの制御ビットを有する。第３フレーム部６３は、対応するＱフレーム６０が使用されるモードを示す４つのモードビットを有する。
モード３において、他のフレーム部が以下の意味を持つ。
第７フレーム部６７は、ゼロに等しい４つのビットを有する。第８フレーム部６８は、絶対時間のフレーム値を示す８つのビットを有する。第９フレーム部６９は、エラー訂正コード（ＣＲＣ）用の１６個のビットを有する。
第４フレーム部６４及び第６フレーム部６６は、それぞれ２つのビットを有する第５フレーム部６５の内容で規定される意味を持つ３０及び２８個のビットを有する。第５フレーム部６５の内容が００に等しい場合、第４フレーム部６４及び第６フレーム部６６の５８個のビットは、音楽片の個々にユニークなコードである国際標準記録コード（ＩＳＲＣ）を示す。第５フレーム部６５の内容が０１に等しい場合、第４フレーム部６４及び第６フレーム６６の５８ビットは、まだ規定されていないが、将来の使用のために予約され、それ故ＴＢＤコード（To Be Defined）として参照されるコードを示す。第５フレーム部６５の値１０は、使用されない。
第５フレーム部６５の内容が１１に等しい場合、第４フレーム部６４及び第６フレーム部６６の５８個のビットは、ＲＩＤコードを示す。既知のＲＩＤコードは、次のように構築される。最初の１８ビットは６ビットコードで符号化された３つの英数字を規定し、合わせて対応する記録が実施される記録装置製造者の名称を示す製造者コードを規定する。次の２０ビットは、同様に６ビットコードで符号化された２つの英数字及び４ビットＢＣＤコードで符号化される２つの数字を規定し、そして対応する記録が実施される記録装置の形式も合わせて規定する。最後の２０ビットは、符号無しのＭＳＢを持つ、記録装置自身にユニークに対応する見本（specimen）コードであるバイナリ数を規定する。
実際に使用されるISRCコードのフォーマットであるＱフレームのフォーマットが実際に使用され、そして実際に使用されるＲＩＤコードのフォーマットは、100±５個の連続するＱフレームごとに１個がモード３でフォーマットされる規格を満たすことに注意されたい。連続するモード３のＱフレームは、周期的に、ISRC,ISRC,RID,ISRC,ISRC,TBC,…のコードを有する。これは、ＲＩＤコードが６つのモード３のＱフレーム毎にのみ記録される、すなわち600のＱフレーム毎もしくは58800個のフレーム３０毎にのみ記録されることを意味する。オーディオにおける各情報フレームは６つのオーディオサンプルを有し、一方、オーディオは、44.1kHzでサンプリングされる。これは、ＲＩＤコードは、８秒のオーディオの時間毎にのみ記録されることを意味する。オーディオ記録が８秒よりも短くなる見込みは小さく、一方、このような短いオーディオ片の不正複写が商業的な規模で行われる見込みも非常に少ないため、このことは許容可能である。しかしながら、データ記録の場合、これは、ＲＩＤコードが２４個の記録済みデータバイトの58800ブロック毎にのみ、すなわち1.4Ｍバイト以上毎に記録されることを意味する。小さな部分にデータを記録する機能の必要性のため、ＲＩＤコードを記録する既知の方法は、データ記録には適さない。
第１Ｂ図に示したように、記録部１１のプログラム部２０は、４つのrun-inブロック２１，２２，２３，２４により先行され、そして２つのrun-outブロック２５，２６に後続される。各ブロックは、２ｋバイトの長さを持つ。４つのrun-inブロック２１，２２，２３，２４は、スタートリンクブロック２８に先行され、そしてエンドリンクブロック２９に後続される。記録部１１のスタートリンクブロック２８は、先行する記録部１１のエンドリンクブロック２９と部分的に重なる。
原則、プログラム部２０自体が任意の長さを持つが、実際は、実データの２ｋバイトをそれぞれ有するブロック２７に分割される。より具体的には、ブロック２７の各々は、９８個のフレーム３０、すなわち高次元の同期、アドレス表示、そしてエラー訂正ビットを持つ９８×２４＝2352ｋバイトの記録情報を有する。
４つのrun-inブロック２１，２２，２３，２４及び２つのrun-outブロック２５，２６は、２つの重要な目的を提供する。第１の位置において、これらブロックは、プログラム部２０の最初と最後のデータブロックのエラー訂正を実現する。実際、使用されるエラー訂正アルゴリズムは、複数の連続ブロックにまたがって適用される。プログラム部２０の最後のデータブロック２７の誤りのない読取り実現を目的として、２つのrun-outブロック２５，２６は、エラー訂正アルゴリズムに貢献する。次の記録部１１のスタートリンクブロック２８に部分的に上書きされるエンドリンクブロック２９は不完全及び訂正不可能で、最終run-outブロック２６は部分的にのみ記録に利用可能である。なぜなら、エンドリンクブロック２９が、かなりの程度読み取れないためである。第１run-outブロック２５は、過ち無しの読取りが可能であるが、これは確実ではない。
プログラム部２０の第１データブロック２７の誤りの無い読みとりを実現するため、２つの最終run-outブロック２３，２４がエラー訂正アルゴリズムに貢献する。
run-outブロックの数よりもrun-inブロックの数が多いという最も重要な理由は、記録部１１を読取る読取り装置が、記録部１１が記録された方法に厳密に適応せねばならないというものである。これは、例えば、記録情報と読取り装置のクロックの同期をとるために必要である。読取り装置が確実な捕捉をする前に、或る期間が経過し、そしてこの期間中、対応ブロック２１，２２は、エラー訂正用に使用できない。多数のrun-inブロックは、ここではこの作用を相殺するために提供される。２つの最終run-inブロック２３，２４は、確実に間違いのない読取りが可能である。
例えばエラー修正及び獲得のこの機能用に、run-inブロック２１〜２４及びrun-outブロック２５，２６が有効なブロックである。しかしながらこれらブロックに記録された情報の内容は重要ではない。この機能によると、これらブロックは、ダミー情報を持つ補助ブロックとして考慮される。本発明は、例えば対応する記録装置を示す上述のＲＩＤコードである「有用な」情報を記録することによる、前記ブロックにより表される格納空間の利用を提案する。
原則、６つのrun-in及びrun-outブロックに相互に異なる情報を記録することが可能である。しかし、プログラム部２０への距離が長くなるにつれて、誤りのない読取りの可能性が少なくなる。最も有効なのは、最終run-inブロック２４及び最初のrun-outブロック２５（ことによると僅かに劣る程度）である。しかしながら、簡略化のため、６つのrun-in及びrun-outブロックのすべてに同一の情報を記録することが望ましい。本発明は、以下に、最終run-inブロックへの書込を参照しながら開示されるであろう。
すでに説明したように、ここではＱチャネルに記録されたＲＩＤコードは、１２個のキャラクタの長さを持ち、そして総数５８ビットが記録部１１のプログラム部２０中に大きな相互間隔を持って記録される。
同様の従来のＲＩＤコードは、本発明の範囲内である、最終run-inブロック２４に記録できる。本発明の重要な利点は、最終run-inブロック２４が種々の情報を記録するための位置制限を持たず、そして標準ＲＩＤコードの５８ビットが従来の記録方法における場合よりも狭い配置にできる。５８ビットのいくつか、もしくは５８コードのすべてが、その他の例えば最終run-inブロック２４において交互に、即ち継続的に記録されることが望ましい。
２ｋバイトのブロック中の格納空間が、ＲＩＤコードを格納するために十分であることが明らかである。必要ならば、何度かＲＩＤコードを格納するため、そして必要ならば及び／もしくは他の有効な情報を格納するために、充分な空間が存在する。本発明の範囲内で、対応する記録機器に関して記録された情報は従来のＲＩＤコードよりも広範囲にできる。特定の実施例において、本発明は、次のような符号化を提案する。有効なＲＩＤコードがブロックに記録されたことを示すコードがブロックの最初の５バイト（バイト０〜４）に記録される。このコードは、英数字RID０１からなるであろう。少なくとも暫定的に、次の３バイトは使用されずそして内容００Ｈを有する。
前述の所定の製造者コードに対応する３つの英数字は、次の３バイト（８〜１０）に記録される。少なくとも暫定的に、次の５バイトは使用されず、そして内容００Ｈを有する。
前述の形式のコードに対応する２つの英数字及び２つの数字は、次の４バイト（１６〜１９）に記録される。少なくとも暫定的に次の４バイトは使用されず、そして内容００Ｈを有する。
上述した見本コードは、次の３バイト（２４〜２６）において、２０ビットの数の形で記録される。バイト２４の最初の４ビットは、０に等しい。バイト２４の５番目のビットは、前記２０ビットの数のＭＳＢであり、バイト２６の最後のビットは、前記２０ビットの数のＬＳＢである。少なくとも暫定的に、次の５バイトは利用されず、内容００Ｈを有する。
必要ならば、バイト３２乃至６３が、英数字で、対応する記録が実施された記録装置の製造者のフルネームを有する。この仕様が使用されないと、内容は００Ｈとなる。
必要ならば、バイト６４乃至７９が、英数字で、対応する記録が実施された記録装置の形式に係る追加データを有する。この仕様が使用されないと、内容は００Ｈとなる。
必要ならば、バイト８０乃至９５が、英数字で、対応する記録が実施された記録装置の見本に係る追加データを有する。この仕様が使用されないと、内容は００Ｈとなる。
バイト９６乃至２５５は、その使用がなされないと、少なくとも当分の間は使用されず、内容００Ｈとなる。
バイト256乃至1023は自由に使用可能で、そしてここに格納された情報の意味は、記録装置の製造者によって自由に規定できる。この場合記録装置は、例えば、記録工程で設定した記録パラメータに関する情報を特別に格納しても良い。後の記録操作において、同一の記録装置はこの情報を読取ることができ、そして最適な記録パラメータの決めるために必要な複雑な試験処理無しで同様の記録パラメータを再び設定できる。
バイト1024乃至2047は、少なくとも当分の間は使用されず、内容００Ｈを持つ。
第４図は、前述の記録方法を実現する記録装置200を示す図である。記録装置200は、ＣＤ１に記録される情報を示す物理変化をもたらす記録部材201を有する。この記録部材201は、例えばレーザを有する標準記録部材であり、より具体的には説明しない。
制御部材203は、記録部材201を制御する制御信号202を発生する。制御部材203は、対応する記録装置200を識別するＲＩＤコードが格納されるメモリ204に関連する。制御部材203は、記録工程における制御信号の発生に適応され、この制御信号は、記録部１１のプログラム部２０に記録される情報を示す。このプログラム部２０を示す制御信号に先駆けて、制御部材203はまた、run-inブロック２１，２２，２３，２４を規定する制御信号を発生する。駆動信号は、メモリ204に格納されたＲＩＤコードと協働する。プログラム部２０を示す制御信号の後に、制御部材203はまた、run-outブロック２５，２６を規定する制御信号を発生する。この制御信号は、メモリ204に格納されるＲＩＤコードを混合する。
run-in及びrun-outブロックはそれぞれ個別の記録部１１に関連するため、プログラム部２０の長さにかかわらず、プログラム部２０が２ｋバイトのみの短い長さであっても、使用した記録装置を示す情報が各記録工程で記録されることを確実にする。
本発明が提案したＲＩＤ情報の記録方法は、現在知られている方法と、同時に使用されることができ相互に干渉しないという意味で、互換性がある。実際にはこのことは、ＲＩＤコードを本発明により提案されたプロトコルに従ってrun-in及び／もしくはrun-outブロックの少なくとも一つに書込むことができ、そして現在のプロトコルに応じて、Ｑチャネルにも記録可能であることを意味する。ＲＩＤコードを制御目的で読取らなければならない場合、Ｑチャネル、もしくはrun-in及び／もしくはrun-outブロック、さらには両者を選択的に参考にでき、一方、本発明によると、run-in及び／もしくはrun-outの何れか一つに記録されたＲＩＤコードを記録部１１の短い長さで、確実に読取りできる。一方、ＱチャネルにおけるＲＩＤコードの従来の記録は、本発明のＲＩＤコードがrun-in及び／もしくはrun-outブロックの少なくとも一つ及び望ましくはそのすべてに記録される場合に省くことができる。
当業者にとっては、請求項に規定された本発明の保護範囲が実施例及び図面を参照した説明に限定されないことは明らかで、本発明の範囲内で、本発明による記録の開示した実施例の変更もしくは変形が可能であることが明らかである。例えば、run-inブロックのＱチャネルにＲＩＤコードの記録が可能である。
さらに、或るシステム、例えば異なるエラー訂正方法が使用されるＤＶＤでは、一つのrun-inブロックで十分であり、run-outが不必要である。このような仕様において、ＲＩＤコードが単一のrun-inブロックに記録可能であることは、当業者には明らかである。
【図１Ａ】
0004616944.tif 000002
【図１Ｂ】
0004616944.tif 000003
【図１Ｃ】
0004616944.tif 000004
【図１Ｄ】
0004616944.tif 000005
【図２】
0004616944.tif 000006
【図３】
0004616944.tif 000007
【図４】
0004616944.tif 000008